(57)【要約】【課題】冷却対象（電子機器や熱を伴う部品）の冷却のための風を、風の流路内で適切な方向に、効率的に送ることができるようにする。【解決手段】冷却のための風を発生させるシロッコファン２０と、シロッコファン２０に接続され、シロッコファン２０によって発生した風を進行方向を変えて案内する送風ダクト３０とを備え、送風ダクト３０は、シロッコファン２０からの風を取り入れる取入れ部３３と、風を排出する第１排気孔３１Ｒ、第２排気孔３１Ｇ、及び第３排気孔３１Ｂと、取入れ部３３から取り入れた風の流れが第１排気孔３１Ｒ、第２排気孔３１Ｇ、及び第３排気孔３１Ｂに向かうように、取入れ部３３からの風を斜めに当てて反射させる平面によって風の進行方向を変える反射板３４とを有する。【選択図】図４
2010091648.tif 000002
【特許請求の範囲】
【請求項１】
電子機器の冷却のための風を発生させる冷却ファンと、
前記冷却ファンに接続され、前記冷却ファンによって発生した風を前記電子機器に向けて進行方向を変えて案内する送風ダクトと
を備え、
前記送風ダクトは、
前記冷却ファンからの風を取り入れる取入れ部と、
前記電子機器に向けて風を排出する排気部と、
前記取入れ部から取り入れた風の流れが前記排気部に向かうように、前記取入れ部からの風を斜めに当てて反射させる平面によって風の進行方向を変える反射部と
を有する電子機器用送風装置。
【請求項２】
請求項１に記載の電子機器用送風装置において、
前記送風ダクトは、前記排気部を複数有しており、
前記送風ダクトの前記反射部は、風の流れが各前記排気部に一直線状に向かうように、風の進行方向を変える
電子機器用送風装置。
【請求項３】
請求項１に記載の電子機器用送風装置において、
前記冷却ファンは、
風を発生させる回転翼と、
前記回転翼の回転中心軸と直交する平面で見て円弧状の周面部が形成され、前記周面部の内側に前記回転翼を回転自在に収納する回転翼収納部と、
前記回転翼収納部から前記回転翼の回転方向に直線状に突出し、前記回転翼によって発生した風を吐出する吐出部と
を有する電子機器用送風装置。
【請求項４】
熱を伴う部品の冷却のための風を発生させる冷却ファンと、
前記冷却ファンに接続され、前記冷却ファンによって発生した風を前記部品に向けて進行方向を変えて案内する送風ダクトと
からなる送風装置を備え、
前記送風ダクトは、
前記冷却ファンからの風を取り入れる取入れ部と、
前記部品に向けて風を排出する排気部と、
前記取入れ部から取り入れた風の流れが前記排気部に向かうように、前記取入れ部からの風を斜めに当てて反射させる平面によって風の進行方向を変える反射部と
を有する送風装置付き電子機器。
【請求項５】
請求項４に記載の送風装置付き電子機器において、
映像を映し出すための光を出射する光源と、
前記光源から出射された光の変調を行うライトバルブと、
前記ライトバルブに光を照射して得られた映像を投射する投射レンズと
を備え、
前記送風ダクトの前記排気部は、前記ライトバルブに向けて風を排出する
送風装置付き電子機器。
【請求項６】
請求項４に記載の送風装置付き電子機器において、
映像を映し出すための光を出射する光源と、
前記光源から出射された光の中で、赤色の波長域の光を変調する第１のライトバルブ、緑色の波長域の光を変調する第２のライトバルブ、及び青色の波長域の光を変調する第３のライトバルブと、
各前記ライトバルブに光を照射して得られた映像を投射する投射レンズと
を備え、
前記送風ダクトの前記排気部は、各前記ライトバルブに向けて別々に風を排出するように、第１の排気部、第２の排気部、及び第３の排気部からなり、
前記送風ダクトの前記反射部は、風の流れが各前記排気部に一直線状に向かうように、風の進行方向を変える
送風装置付き電子機器。
【発明の詳細な説明】
【技術分野】
【０００１】
本発明は、光を投射することによって映像をスクリーン等に映し出す投射型表示装置等の電子機器に使用する電子機器用送風装置及び送風装置付き電子機器に係るものである。そして、詳しくは、冷却対象（電子機器や熱を伴う部品）の冷却のための風を、風の流路内で、目的とする排気部に向かって一直線状に、効率的に送ることができるようにした技術に関するものである。
【背景技術】
【０００２】
従来から、電子機器として、例えば、リフレクタに支持されたランプユニット等の光源と、光源から出射された光の変調を行うライトバルブと、映像を投射する投射レンズとを備えた投射型表示装置（液晶プロジェクタ等）が知られている。この投射型表示装置は、ランプユニットから出射された光をライトバルブに照射することによって映像を得て、その映像を投射レンズを介してスクリーン等に映し出すものである。そして、投射型表示装置の使用時に熱を伴う各種の光学部品（ライトバルブ等）は、投射型表示装置に備えられた送風装置からの風によって冷却することで、その光学部品の限界保証温度以下に保持されている。
【０００３】
ここで、送風装置としては、例えば、冷却のための風を発生させる回転翼と、回転翼を回転自在に収納する回転翼収納部と、回転翼によって発生した風を吐出する吐出部とを有する冷却ファンに送風ダクトを接続したものが知られている。そして、渦流の発生を防止し、送風効率を向上させるため、吐出部から吐出される風の進行方向と同じ方向に送風ダクトの壁面を形成した技術が開示されている（例えば、特許文献１参照）。
【特許文献１】特開昭６１−４６４９８号公報
【発明の開示】
【発明が解決しようとする課題】
【０００４】
しかし、上記した特許文献１の技術は、送風ダクトが風の進行方向を変えない場合は、送風効率が向上するが、冷却対象に向けて風の進行方向を変える場合は、送風に偏りが発生し、適切な風量の送風が困難となる。例えば、投射型表示装置における冷却対象となるライトバルブには、ランプユニットから出射された光の中の赤色（Ｒ）の波長域の光を変調する第１のライトバルブと、緑色（Ｇ）の波長域の光を変調する第２のライトバルブと、青色（Ｂ）の波長域の光を変調する第３のライトバルブとがある。そして、各ライトバルブに向けて風の進行方向を変える場合には、各ライトバルブに適切な風量の送風ができないという問題がある。
【０００５】
図７は、従来の送風装置の一例としての、シロッコファン１２０及び送風ダクト１３０の内部構造を示す平面図である。
図７に示すように、送風ダクト１３０は、シロッコファン１２０に接続されている。そして、シロッコファン１２０との接続部においては、風の進行方向と同じ方向に外壁１３０ａ及び内壁１３０ｂが形成されている。そのため、シロッコファン１２０との接続部近辺で渦流が発生することはない。
【０００６】
また、この送風ダクト１３０は、シロッコファン１２０の反対側に、第１のライトバルブに対応する第１排気孔１３１Ｒと、第２のライトバルブに対応する第２排気孔１３１Ｇと、第３のライトバルブに対応する第３排気孔１３１Ｂとがそれぞれ別々に設けられている。そして、外壁１３０ａ及び内壁１３０ｂは、風の進行方向を変えて案内するように曲がっている。
【０００７】
ここで、図７（ａ）に示すように、外壁１３０ａと内壁１３０ｂとの間の全体が風の流路１３２となっている場合には、シロッコファン１２０から直進する風が矢印のように外壁１３０ａ側に集まり、外壁１３０ａに沿って流れるようになる。そのため、第１排気孔１３１Ｒから排出される風量が多くなり、第２排気孔１３１Ｇから排出される風量が少なく、第３排気孔１３１Ｂからはほとんど排出されない状況となる。その結果、各ライトバルブの冷却が適切でなくなってしまう。
【０００８】
そこで、図７（ｂ）に示すように、外壁１３０ａと内壁１３０ｂとの間に第１仕切り板１３３及び第２仕切り板１３４を設けることがある。これにより、第１排気孔１３１Ｒへの第１流路１３２Ｒと、第２排気孔１３１Ｇへの第２流路１３２Ｇと、第３排気孔１３１Ｂへの第３流路１３２Ｂとが形成される。そのため、シロッコファン１２０から第１流路１３２Ｒに吐出された風は、第１排気孔１３１Ｒから排気され、第２流路１３２Ｇに吐出された風は、第２排気孔１３１Ｇから排気され、第３流路１３２Ｂに吐出された風は、第３排気孔１３１Ｂから排気されるようになる。
【０００９】
しかし、第１仕切り板１３３及び第２仕切り板１３４を設けると、その摩擦抵抗によって風速が低下するという問題が発生してしまう。具体的には、第１流路１３２Ｒに吐出された風は、外壁１３０ａの他、第１仕切り板１３３によって摩擦を生じる。また、第２流路１３２Ｇに吐出された風は、第１仕切り板１３３及び第２仕切り板１３４によって摩擦を生じる。さらにまた、第３流路１３２Ｂに吐出された風は、内壁１３０ｂの他、第２仕切り板１３４によって摩擦を生じる。そのため、風速が徐々に低下し、第１排気孔１３１Ｒ、第２排気孔１３１Ｇ、及び第３排気孔１３１Ｂから排気される全体的な風量が減少して送風効率が悪くなる。その結果、各ライトバルブの冷却効果が不足してしまう。
【００１０】
したがって、本発明が解決しようとする課題は、冷却対象（電子機器や熱を伴う部品）の冷却のための風を、風の流路内で適切な方向に、効率的に送ることができるようにすることである。
【課題を解決するための手段】
【００１１】
本発明は、以下の解決手段によって上述の課題を解決する。
本発明の請求項１に記載の発明は、電子機器の冷却のための風を発生させる冷却ファンと、前記冷却ファンに接続され、前記冷却ファンによって発生した風を前記電子機器に向けて進行方向を変えて案内する送風ダクトとを備え、前記送風ダクトは、前記冷却ファンからの風を取り入れる取入れ部と、前記電子機器に向けて風を排出する排気部と、前記取入れ部から取り入れた風の流れが前記排気部に向かうように、前記取入れ部からの風を斜めに当てて反射させる平面によって風の進行方向を変える反射部とを有する電子機器用送風装置である。
【００１２】
また、本発明の請求項４に記載の発明は、熱を伴う部品の冷却のための風を発生させる冷却ファンと、前記冷却ファンに接続され、前記冷却ファンによって発生した風を前記部品に向けて進行方向を変えて案内する送風ダクトとからなる送風装置を備え、前記送風ダクトは、前記冷却ファンからの風を取り入れる取入れ部と、前記部品に向けて風を排出する排気部と、前記取入れ部から取り入れた風の流れが前記排気部に向かうように、前記取入れ部からの風を斜めに当てて反射させる平面によって風の進行方向を変える反射部とを有する送風装置付き電子機器である。
【００１３】
（作用）
上記の請求項１及び請求項４に記載の発明は、送風ダクトの取入れ部から取り入れた風の流れが排気部に向かうように、取入れ部からの風を斜めに当てて反射させる平面によって風の進行方向を変える反射部を有している。そのため、反射部によって風が反射され、進行方向が変わって排気部に向かうので、仕切り板を設けることなく、風が外壁側に集中することを防止できる。
【発明の効果】
【００１４】
上記の発明によれば、送風ダクトの反射部によって風が反射され、進行方向が変わって排気部に向かうので、仕切り板を設けることなく（仕切り板との摩擦抵抗によって風速を低下させることなく）、風が外壁側に集中することを防止できる。そのため、冷却対象（電子機器や熱を伴う部品）の冷却のための風を、風の流路内で適切な方向に、効率的に送ることができるようになる。
【発明を実施するための最良の形態】
【００１５】
以下、図面を参照して、本発明を実施するための最良の形態（以下、実施の形態とする）について説明する。
ここで、本発明における電子機器は、以下の実施の形態では、投射型表示装置である液晶プロジェクタ１０とする。また、本発明の送風装置は、以下の実施の形態では、液晶プロジェクタ１０に組み込まれたシロッコファン２０（本発明における冷却ファンに相当するもの）及び送風ダクト３０，６０であるとする。なお、説明は、以下の順序で行う。
１．第１の実施の形態（送風ダクト３０：内部に反射板３４を設けた例）
２．第２の実施の形態（送風ダクト６０：外壁６０ａの一部を反射部とした例）
【００１６】
［電子機器（液晶プロジェクタ１０）の構成例］
図１は、本発明の電子機器の一実施形態としての、液晶プロジェクタ１０の内部構造を示す斜視図である。
また、図２は、図１に示す液晶プロジェクタ１０における光学ユニット４０の内部構造を示す平面図である。
さらにまた、図３は、本発明の電子機器の一実施形態としての、液晶プロジェクタ１０の内部構造を示す正面図である。
なお、この液晶プロジェクタ１０には、本発明の送風装置の一実施形態としての、シロッコファン２０及び送風ダクト３０が組み込まれている。
【００１７】
液晶プロジェクタ１０は、図１に示すように、直方体状のケース１１の内部に、平面形状が略Ｌ字状の光学ユニット４０を収納したものである。この光学ユニット４０は、映像を映し出すための光を出射するランプユニット４１（本発明における光源に相当するもの）と、ランプユニット４１から出射された光の変調を行うライトバルブ４２とを有している。そして、光学ユニット４０のライトバルブ４２に近い側面に、レンズ保持枠１２が取り付けられている。また、レンズ保持枠１２には、先端部がケース１１の側面から突出するようにして、映像を投射する投射レンズ１３が保持されている。そのため、ランプユニット４１から出射された光をライトバルブ４２に照射することによって得られた映像は、投射レンズ１３を介してスクリーン等に映し出されることとなる。
【００１８】
また、光学ユニット４０の下面側には、ユニットフレーム１４を介して、偏平な箱状の送風ダクト３０が配置されている。そして、送風ダクト３０には、同じく偏平な箱状のシロッコファン２０が接続されている。このシロッコファン２０は、ライトバルブ４２等の熱を伴う部品を冷却するための風を発生させるものである。一方、送風ダクト３０は、シロッコファン２０によって発生した風をライトバルブ４２等に向けて進行方向を変えて案内するものである。さらにまた、ケース１１の側面には、投射レンズ１３に隣接するようにして２つの排気用ファン１５が配置されている。そのため、シロッコファン２０からの風により、光学ユニット４０内のライトバルブ４２等を限界保証温度以下に保持することができる。そして、光学ユニット４０内を流れた風は、排気用ファン１５によってケース１１の外部に排出される。
【００１９】
ここで、光学ユニット４０内には、図２に示すように、ランプユニット４１やライトバルブ４２（４２Ｒ，４２Ｇ，４２Ｂ）の他、フライアイレンズ４３、ＰＳ変換素子４４、コンデンサレンズ４５、全反射ミラー４６ａ，４６ｂ，４６ｃ，４６ｄ、ダイクロイックミラー４７ａ，４７ｂ、リレーレンズ４８ａ，４８ｂ、フィールドレンズ４９（４９Ｒ，４９Ｇ，４９Ｂ）、入射側偏光板５０（５０Ｒ，５０Ｇ，５０Ｂ）、出射側偏光板５１（５１Ｒ，５１Ｇ，５１Ｂ）、及びクロスプリズム５２が設けられている。なお、ライトバルブ４２Ｒは、本発明における第１のライトバルブに相当し、ランプユニット４１から出射された光の中で、赤色（Ｒ）の波長域の光を変調するものである。また、ライトバルブ４２Ｇは、本発明における第２のライトバルブに相当し、緑色（Ｇ）の波長域の光を変調するものである。さらにまた、ライトバルブ４２Ｂは、本発明における第３のライトバルブに相当し、青色（Ｂ）の波長域の光を変調するものである。そして、フィールドレンズ４９、入射側偏光板５０、及び出射側偏光板５１は、ライトバルブ４２Ｒ，４２Ｇ，４２Ｂに対応してそれぞれ設けられている。
【００２０】
このような光学ユニット４０において、光の出射側から各光学部品を順に説明すると、ランプユニット４１は、リフレクタ４１ａに放電ランプ４１ｂを取り付けたものである。そして、リフレクタ４１ａの開口面には、防護ガラス４１ｃが取り付けられている。そのため、放電ランプ４１ｂが放射する光は、リフレクタ４１ａに反射され、防護ガラス４１ｃから出射する。
【００２１】
次に、フライアイレンズ４３は、ランプユニット４１から離間した位置に２つ配置されている。このフライアイレンズ４３は、強度分布を有するランプユニット４１からの光を多数の光スポットに分割し、ライトバルブ４２（４２Ｒ，４２Ｇ，４２Ｂ）の画面全体の輝度分布を均一にするためのものである。
【００２２】
また、フライアイレンズ４３に近接して、ＰＳ変換素子４４及びコンデンサレンズ４５が順に配置されている。このＰＳ変換素子４４は、短冊状に配列された偏光ビームスプリッタと、これに対応して間欠的に設けられた位相差板とからなり、入射光の偏光方向の変換を行うものである。
【００２３】
さらにまた、最初の全反射ミラー４６ａは、コンデンサレンズ４５を挟んでＰＳ変換素子４４の反対側に位置し、コンデンサレンズ４５から所定の距離だけ離間して配置されている。この全反射ミラー４６ａは、ランプユニット４１からの光を９０°反射し、ダイクロイックミラー４７ａ，４７ｂに導くためのものである。
【００２４】
ダイクロイックミラー４７ａ，４７ｂは、所定の距離だけ離間して、それぞれ同じ向きに４５°傾斜するように配置されている。そして、ダイクロイックミラー４７ａは、全反射ミラー４６ａで反射された光の中で、青色（Ｂ）の波長域の光だけを９０°反射する。一方、ダイクロイックミラー４７ａで反射されない波長域の光の中で、緑色（Ｇ）の波長域の光は、ダイクロイックミラー４７ｂによって９０°反射される。なお、ダイクロイックミラー４７ａによって反射された青色（Ｂ）の波長域の光は、離間して配置されている全反射ミラー４６ｂによって再び９０°反射される。
【００２５】
したがって、全反射ミラー４６ａで反射された光の中で、赤色（Ｒ）の波長域の光だけは、ダイクロイックミラー４７ａ及びダイクロイックミラー４７ｂで反射されず、そのまま直進する。そのため、ダイクロイックミラー４７ｂの後方には、リレーレンズ４８ａ及び全反射ミラー４６ｃがそれぞれ離間して配置されており、全反射ミラー４６ｃによって赤色（Ｒ）の波長域の光が９０°反射される。さらに、赤色（Ｒ）の波長域の光は、離間して配置されているリレーレンズ４８ｂを透過し、最後の全反射ミラー４６ｄによって再び９０°反射される。
【００２６】
このように、ダイクロイックミラー４７ａ，４７ｂによって赤色（Ｒ）の波長域の光、緑色（Ｇ）の波長域の光、及び青色（Ｂ）の波長域の光が分離される。そして、全反射ミラー４６ｂによって反射された青色（Ｂ）の波長域の光は、  離間して配置されているフィールドレンズ４９Ｂに入射する。また、ダイクロイックミラー４７ｂによって反射された緑色（Ｇ）の波長域の光は、フィールドレンズ４９Ｇに入射する。さらにまた、全反射ミラー４６ｄによって反射された赤色（Ｒ）の波長域の光は、フィールドレンズ４９Ｒに入射する。
【００２７】
フィールドレンズ４９Ｒ，４９Ｇ，４９Ｂの出射側には、それぞれに対応する入射側偏光板５０Ｒ，５０Ｇ，５０Ｂが離間して配置されている。さらに、入射側偏光板５０Ｒ，５０Ｇ，５０Ｂに対向して、光変調素子であるライトバルブ４２Ｒ，４２Ｇ，４２Ｂが離間して配置されている。そして、このライトバルブ４２Ｒ，４２Ｇ，４２Ｂは、離間して配置された出射側偏光板５１Ｒ，５１Ｇ，５１Ｂを介して、それぞれがクロスプリズム５２の各入射面（投射レンズ１３が配置されていない３側面）に対向している。
【００２８】
したがって、このような光学ユニット４０において、ランプユニット４１から出射された光（放電ランプ４１ｂが放射した光）は、フライアイレンズ４３によって多数の光スポットに分割された後、ＰＳ変換素子４４に入射する。そして、ＰＳ変換素子４４によって光の偏光方向がそろえられ、コンデンサレンズ４５を透過した後、全反射ミラー４６ａによって９０°反射される。
【００２９】
全反射ミラー４６ａによって反射された光は、ダイクロイックミラー４７ａに入射し、入射した光の中で、青色（Ｂ）の波長域の光は、ダイクロイックミラー４７ａによって９０°反射される。そして、全反射ミラー４６ｂによって再び９０°反射され、フィールドレンズ４９Ｂに入射する。
【００３０】
また、ダイクロイックミラー４７ａに入射した光の中で、ダイクロイックミラー４７ａを透過した光（青色（Ｂ）の波長域以外の光）は、ダイクロイックミラー４７ｂに入射する。そして、ダイクロイックミラー４７ｂに入射した光の中で、緑色（Ｇ）の波長域の光は、ダイクロイックミラー４７ｂによって９０°反射され、フィールドレンズ４９Ｇに入射する。
【００３１】
さらにまた、ダイクロイックミラー４７ｂに入射した光の中で、ダイクロイックミラー４７ｂを透過した赤色（Ｒ）の波長域の光は、リレーレンズ４８ａを経て、全反射ミラー４６ｃによって９０°反射される。この赤色（Ｒ）の波長域の光は、さらに、リレーレンズ４８ｂを経て、全反射ミラー４６ｄによって再び９０°反射され、フィールドレンズ４９Ｒに入射する。
【００３２】
各フィールドレンズ４９Ｒ，４９Ｇ，４９Ｂにそれぞれ入射した赤色（Ｒ）、緑色（Ｇ）、及び青色（Ｂ）の波長域の光は、入射側偏光板５０Ｒ，５０Ｇ，５０Ｂを透過して所定の偏光方向の光となる。そして、ライトバルブ４２Ｒ，４２Ｇ，４２Ｂにおいて、印加された画像信号に基づいて、その偏光面が回転される。偏光面が回転された光の所定の偏光成分は、出射側偏光板５１Ｒ，５１Ｇ，５１Ｂを透過し、映像光として、クロスプリズム５２に入射して色合成される。そのため、色合成された光が投射レンズ１３から出射され、スクリーン等にフルカラーの映像が映し出されることとなる。
【００３３】
このように、ランプユニット４１から出射された光は、ライトバルブ４２Ｒ，４２Ｇ，４２Ｂ等によって映像光となるが、ライトバルブ４２Ｒ，４２Ｇ，４２Ｂ等は、映像の投射時に熱を伴う部品である。そのため、各ライトバルブ４２Ｒ，４２Ｇ，４２Ｂ等にそれぞれ風を当てて冷却し、限界保証温度以下に保持する必要が生じる。そこで、図３に示すように、液晶プロジェクタ１０において、ケース１１内の光学ユニット４０の下面側に、送風装置を構成するシロッコファン２０及び送風ダクト３０が配置されている。
【００３４】
シロッコファン２０は、ファンケース２１の内部に、風を発生させる回転翼２２を回転自在に取り付けたものである。そして、ファンケース２１に、送風ダクト３０が接続されている。また、送風ダクト３０は、ユニットフレーム１４を介して、光学ユニット４０の下面側に取り付けられている。さらにまた、送風ダクト３０は、光学ユニット４０内のライトバルブ４２、入射側偏光板５０、及び出射側偏光板５１に対応する位置に、それぞれ排気孔３１（本発明における排気部に相当するもの）が形成されている。そのため、シロッコファン２０を駆動（回転翼２２を回転）させれば、風が送風ダクト３０を通って各排気孔３１から排出され、各ライトバルブ４２、各入射側偏光板５０、及び各出射側偏光板５１を冷却できる。
【００３５】
＜１．第１の実施の形態＞
［送風装置（シロッコファン２０及び送風ダクト３０）の構成例］
図４は、本発明の送風装置の一実施形態（第１の実施の形態）としての、シロッコファン２０及び送風ダクト３０を示す平面図である。なお、図４（ａ）は、シロッコファン２０及び送風ダクト３０の内部構造を示し、図４（ｂ）は、シロッコファン２０及び送風ダクト３０の外観を示している。
また、図５は、本発明の送風装置の一実施形態（第１の実施の形態）としての、シロッコファン２０及び送風ダクト３０を示す斜視図である。なお、図５（ａ）は、シロッコファン２０の外観及び送風ダクト３０の内部構造を示し、図５（ｂ）は、シロッコファン２０及び送風ダクト３０の外観を示している。
【００３６】
ここで、シロッコファン２０は、風を発生させる偏平な箱状のものであり、図４（ａ）に示すように、ファンケース２１の内部に回転自在の回転翼２２を収納したものである。そして、ファンケース２１は、回転翼２２の回転中心軸と直交する平面で見て円弧状の円弧壁２３ａ（本発明における周面部に相当するもの）が形成され、円弧壁２３ａの内側に回転翼２２を回転自在に収納する回転翼収納部２３を有している。さらに、回転翼収納部２３から回転翼２２の回転方向に直線状に突出し、回転翼２２によって発生した風を吐出する吐出部２４を有している。
【００３７】
また、回転翼２２の外周部と回転翼収納部２３の円弧壁２３ａとの間の空間が送風空間２５として形成されている。この送風空間２５は、回転翼２２の回転駆動方向（実施形態では、時計回りの方向）において、吐出部２４に近づくにつれて徐々に幅が広くなるように形成されている。具体的には、吐出部２４から離れた部分が最も幅の狭い最小幅部２５ａとなり、吐出部２４に近い部分が最も幅の広い最大幅部２５ｂとなっている。そして、最大幅部２５ｂ側の円弧壁２３ａは、吐出部２４の直線壁２４ａと接続されている。
【００３８】
このようなシロッコファン２０は、回転翼２２を時計回りに回転駆動させることによって送風空間２５内に風が発生し、その風は、回転翼収納部２３の円弧壁２３ａに沿って矢印のように流れる。また、送風空間２５の最小幅部２５ａから最大幅部２５ｂに向かうにつれて風量が多くなる。そして、最大幅部２５ｂから吐出部２４に風が入ると、風は、吐出部２４の直線壁２４ａに沿って矢印のように流れ、吐出部２４の全体から真っ直ぐに（直線壁２４ａと平行に）吐出されるようになる。
【００３９】
シロッコファン２０の吐出部２４には、送風ダクト３０が接続されている。この送風ダクト３０は、シロッコファン２０によって発生した風をライトバルブ４２（図３参照）に向けて進行方向を変えて案内するものである。具体的には、送風ダクト３０は、光学ユニット４０（図３参照）の下面側に配置されており、シロッコファン２０と同様の偏平な箱状のものとなっている。そして、ライトバルブ４２に風を導くように曲がった外壁３０ａ及び３０ｂを有している。
【００４０】
ここで、送風ダクト３０は、図４（ｂ）及び図５（ｂ）に示すように、第１排気孔３１Ｒ（本発明における第１の排気部に相当するもの）、第２排気孔３１Ｇ（本発明における第２の排気部に相当するもの）、及び第３排気孔３１Ｂ（本発明における第３の排気部に相当するもの）を有している。そして、第１排気孔３１Ｒは、図２に示すライトバルブ４２Ｒ、入射側偏光板５０Ｒ、及び出射側偏光板５１Ｒの両面に向けて風を排出するための開口によって構成されている。また、第２排気孔３１Ｇは、図２に示すライトバルブ４２Ｇ、入射側偏光板５０Ｇ、及び出射側偏光板５１Ｇの両面に向けて風を排出するための開口によって構成されている。さらにまた、第３排気孔３１Ｂは、図２に示すライトバルブ４２Ｂ、入射側偏光板５０Ｂ、及び出射側偏光板５１Ｂの両面に向けて風を排出するための開口によって構成されている。
【００４１】
したがって、第１排気孔３１Ｒの開口は、それぞれが図２に示すライトバルブ４２Ｒ、入射側偏光板５０Ｒ、及び出射側偏光板５１Ｒの真下に位置するように取り付けられる。また、第２排気孔３１Ｇの開口は、それぞれが図２に示すライトバルブ４２Ｇ、入射側偏光板５０Ｇ、及び出射側偏光板５１Ｇの真下に位置するように取り付けられる。さらにまた、第３排気孔３１Ｂの開口は、それぞれが図２に示すライトバルブ４２Ｂ、入射側偏光板  ５０Ｂ、及び出射側偏光板５１Ｂの真下に位置するように取り付けられる。
【００４２】
また、第１排気孔３１Ｒ、第２排気孔３１Ｇ、及び第３排気孔３１Ｂの下方は、図４（ａ）及び図５（ａ）に示すように、それぞれ第１流路３２Ｒ、第２流路３２Ｇ、及び第３流路３２Ｂとなっている。そして、第１排気孔３１Ｒ、第２排気孔３１Ｇ、及び第３排気孔３１Ｂの反対側は、シロッコファン２０の吐出部２４から吐出される風を取り入れるための取入れ部３３となっている。この取入れ部３３の開口面積及び形状は、シロッコファン２０の吐出部２４の開口面積及び形状と同一に形成されている。そのため、吐出部２４の全体から吐出された風は、取入れ部３３の全体から取り入れられる。
【００４３】
さらにまた、外壁３０ａの内側には、取入れ部３３側から第１流路３２Ｒ側に向かって斜めに伸びる反射板３４（本発明における反射部に相当するもの）が設けられている。この反射板３４は、取入れ部３３から取り入れた風の流れが第１排気孔３１Ｒ、第２排気孔３１Ｇ、及び第３排気孔３１Ｂに一直線状に向かうように、取入れ部３３からの風を斜めに当てて反射させる平面によって風の進行方向を変えるものである。
【００４４】
このような第１の実施の形態の送風装置（シロッコファン２０及び送風ダクト３０）を備える液晶プロジェクタ１０（図１参照）は、映像の投射時に、シロッコファン２０の回転翼２２が回転駆動される。そして、ケース１１（図１参照）の底面から外気が取り入れられる。取り入れられた外気は、回転翼２２の時計回りの回転により、送風空間２５内を図４（ａ）に示す矢印のように流れ、風が発生する。この風は、吐出部２４の直線壁２４ａに沿って矢印のように流れ、吐出部２４の全体から真っ直ぐに（直線壁２４ａと平行に）吐出される。
【００４５】
シロッコファン２０の吐出部２４から吐出された風は、送風ダクト３０の取入れ部３３の全体から真っ直ぐに取り入れられる。そして、取入れ部３３に入った風は、平面の反射板３４に入射角θ（実施形態では、θ＝３５°）で入射して当たり、反射角θ（入射角θと同一の角度）で反射されて矢印のように真っ直ぐに流れる。この際、反射板３４は、取入れ部３３から取り入れた風の流れが第１排気孔３１Ｒ、第２排気孔３１Ｇ、及び第３排気孔３１Ｂに一直線状に向かう（反射角θで反射された風が第１流路３２Ｒ、第２流路３２Ｇ、及び第３流路３２Ｂを流れる）ような角度で設置されている。
【００４６】
したがって、反射板３４によって反射された風は、反射板３４に入射する位置に応じ、矢印のように第１流路３２Ｒ、第２流路３２Ｇ、及び第３流路３２Ｂを偏りなく流れる。その結果、第１排気孔３１Ｒ、第２排気孔３１Ｇ、及び第３排気孔３１Ｂに到達する風量が適切化され、図２に示すライトバルブ４２Ｒ，４２Ｇ，４２Ｂ、入射側偏光板５０Ｒ，５０Ｇ，５０Ｂ、及び出射側偏光板５１Ｒ，５１Ｇ，５１Ｂをそれぞれ効果的に冷却できるようになる。また、この風は、反射板３４に当たって反射されるだけで、摩擦抵抗による風速の低下がないので、効率的に風を送ることができる。
【００４７】
ここで、一般的に、図２に示すライトバルブ４２Ｒ，４２Ｇ，４２Ｂ、入射側偏光板５０Ｒ，５０Ｇ，５０Ｂ、及び出射側偏光板５１Ｒ，５１Ｇ，５１Ｂの温度は、高い順にＢ＞Ｇ＞Ｒとなる。そのため、一番高温になるライトバルブ４２Ｂ、入射側偏光板５０Ｂ、及び出射側偏光板５１Ｂに対して風を排気する第３排気孔３１Ｂ（図４参照）は、一番大きい開口となっている。また、次に高温になるライトバルブ４２Ｇ、入射側偏光板５０Ｇ、及び出射側偏光板５１Ｇに対して風を排気する第２排気孔３１Ｇ（図４参照）は、次に大きい開口となっている。さらにまた、一番低温のライトバルブ４２Ｒ、入射側偏光板５０Ｒ、及び出射側偏光板５１Ｒに対して風を排気する第１排気孔３１Ｒ（図４参照）は、一番小さい開口となっている。
【００４８】
したがって、排気される風量は、一番高温のライトバルブ４２Ｂ、入射側偏光板５０Ｂ、及び出射側偏光板５１Ｂが一番多くなる。そして、ライトバルブ４２Ｇ、入射側偏光板５０Ｇ、及び出射側偏光板５１Ｇが次に多く、一番低温のライトバルブ４２Ｒ、入射側偏光板５０Ｒ、及び出射側偏光板５１Ｒは、一番少なくなる。その結果、ライトバルブ４２Ｒ，４２Ｇ，４２Ｂ、入射側偏光板５０Ｒ，５０Ｇ，５０Ｂ、及び出射側偏光板５１Ｒ，５１Ｇ，５１Ｂの温度に応じた効率的な冷却が可能となる。また、これらの光学部品がすべて限界保証温度以下に保持される。なお、これらの光学部品を冷却した風は、排気ファン１５（図１参照）によって外部に排気される。
【００４９】
＜２．第２の実施の形態＞
［送風装置（シロッコファン２０及び送風ダクト６０）の構成例］
図６は、本発明の送風装置の一実施形態（第２の実施の形態）としての、シロッコファン２０及び送風ダクト６０を示す平面図である。なお、図６（ａ）は、シロッコファン２０及び送風ダクト６０の内部構造を示し、図６（ｂ）は、シロッコファン２０及び送風ダクト６０の外観を示している。
【００５０】
ここで、シロッコファン２０は、第１の実施の形態のものと同一となっている。そのため、ファンケース２１の内部に回転翼２２が収納されており、ファンケース２１は、円弧壁２３ａが形成された回転翼収納部２３と、直線壁２４ａが形成された吐出部２４とを有している。そして、回転翼２２を時計回りに回転駆動させると、回転翼収納部２３の円弧壁２３ａに沿って風が矢印のように流れる。また、その風量は、送風空間２５の最小幅部２５ａから最大幅部２５ｂに向かうにつれて多くなる。その後、風は、吐出部２４の直線壁２４ａに沿って矢印のように流れ、吐出部２４の全体から真っ直ぐに（直線壁２４ａと平行に）吐出される。
【００５１】
シロッコファン２０の吐出部２４には、送風ダクト６０の取入れ部６３が接続されている。この送風ダクト６０は、シロッコファン２０によって発生し、吐出部２４から吐出された風を取入れ部６３から取り入れるとともに、ライトバルブ４２（図３参照）に向けて進行方向を変えて案内するものである。そのため、ライトバルブ４２に風を導くように形成された外壁６０ａ及び６０ｂを有している。そして、外壁６０ａの取入れ部６３側は、第１流路６２Ｒ側に向かって斜めに伸びる反射部となっている。この外壁（反射部）６０ａは、具体的には、取入れ部６３から取り入れた風の流れが第１排気孔６１Ｒ、第２排気孔６１Ｇ、及び第３排気孔６１Ｂに一直線状に向かう（反射角θで反射された風が第１流路６２Ｒ、第２流路６２Ｇ、及び第３流路６２Ｂを流れる）ような角度で形成されている。
【００５２】
したがって、取入れ部６３に入った風は、平面の外壁（反射部）６０ａに入射角θ（実施形態では、θ＝３５°）で入射して当たり、反射角θ（入射角θと同一の角度）で反射されて矢印のように真っ直ぐに流れる。具体的には、外壁（反射部）６０ａによって反射された風は、反射部に入射する位置に応じ、矢印のように第１流路６２Ｒ、第２流路６２Ｇ、及び第３流路６２Ｂを偏りなく流れる。その結果、第１排気孔６１Ｒ、第２排気孔６１Ｇ、及び第３排気孔６１Ｂに到達する風量が適切化され、図２に示すライトバルブ４２Ｒ，４２Ｇ，４２Ｂ、入射側偏光板５０Ｒ，５０Ｇ，５０Ｂ、及び出射側偏光板５１Ｒ，５１Ｇ，５１Ｂをそれぞれ効果的に冷却できるようになる。また、この風は、外壁（反射部）６０ａに反射されるだけで、摩擦抵抗による風速の低下がないので、効率的に風を送ることができる。
【００５３】
また、第３排気孔６１Ｂが一番大きい開口で、第２排気孔３１Ｇが次に大きい開口で、第１排気孔６１Ｒは、一番小さい開口となっている。そのため、排気される風量は、一番高温になるライトバルブ４２Ｂ、入射側偏光板５０Ｂ、及び出射側偏光板５１Ｂが一番多くなる。そして、次に高温になるライトバルブ４２Ｇ、入射側偏光板５０Ｇ、及び出射側偏光板５１Ｇが次に多く、一番低温のライトバルブ４２Ｒ、入射側偏光板５０Ｒ、及び出射側偏光板５１Ｒは、一番少なくなる。その結果、ライトバルブ４２Ｒ，４２Ｇ，４２Ｂ、入射側偏光板５０Ｒ，５０Ｇ，５０Ｂ、及び出射側偏光板５１Ｒ，５１Ｇ，５１Ｂの温度に応じた効率的な冷却が可能となる。また、これらの光学部品がすべて限界保証温度以下に保持される。なお、これらの光学部品を冷却した風は、排気ファン１５（図１参照）によって外部に排気される。
【００５４】
以上、本発明の実施形態について説明したが、本発明は、上述した実施形態に限定されることなく、種々の変形が可能である。例えば、実施形態では、電子機器として、投射型表示装置である液晶プロジェクタ１０を例に挙げるとともに、熱を伴うライトバルブ４２Ｒ，４２Ｇ，４２Ｂ、入射側偏光板５０Ｒ，５０Ｇ，５０Ｂ、及び出射側偏光板５１Ｒ，５１Ｇ，５１Ｂを冷却対象とした。しかし、これに限らず、ランプユニット４１等の熱を伴う部品を冷却対象とすることもできる。また、液晶プロジェクタ１０に限らず、液晶ディスプレイ（バックライト）、ノート型パーソナルコンピュータ（ＣＰＵ）等の各種の電子機器（熱を伴う部品）に広く適用可能である。
【図面の簡単な説明】
【００５５】
【図１】本発明の電子機器の一実施形態としての、液晶プロジェクタの内部構造を示す斜視図である。
【図２】図１に示す液晶プロジェクタにおける光学ユニットの内部構造を示す平面図である。
【図３】本発明の電子機器の一実施形態としての、液晶プロジェクタの内部構造を示す正面図である。
【図４】本発明の送風装置の一実施形態（第１の実施の形態）としての、シロッコファン及び送風ダクトを示す平面図である。
【図５】本発明の送風装置の一実施形態（第１の実施の形態）としての、シロッコファン及び送風ダクトを示す斜視図である。
【図６】本発明の送風装置の一実施形態（第２の実施の形態）としての、シロッコファン及び送風ダクトを示す平面図である。
【図７】従来の送風装置の一例としての、シロッコファン及び送風ダクトの内部構造を示す平面図である。
【符号の説明】
【００５６】
１０  液晶プロジェクタ（電子機器）
１３  投射レンズ
２０  シロッコファン（冷却ファン）
２２  回転翼
２３  回転翼収納部
２３ａ  円弧壁（周面部）
２４  吐出部
３０  送風ダクト
３１  排気孔（排気部）
３１Ｒ  第１排気孔（第１の排気部）
３１Ｇ  第２排気孔（第２の排気部）
３１Ｂ  第３排気孔（第３の排気部）
３３  取入れ部
３４  反射板（反射部）
４１  ランプユニット（光源）
４２  ライトバルブ（熱を伴う部品）
４２Ｒ  ライトバルブ（第１のライトバルブ）
４２Ｇ  ライトバルブ（第２のライトバルブ）
４２Ｂ  ライトバルブ（第２のライトバルブ）
６０  送風ダクト
６０ａ  外壁（反射部）
６１Ｒ  第１排気孔（第１の排気部）
６１Ｇ  第２排気孔（第２の排気部）
６１Ｂ  第３排気孔（第３の排気部）
６３  取入れ部
【図１】
2010091648.tif 000003
【図２】
2010091648.tif 000004
【図３】
2010091648.tif 000005
【図４】
2010091648.tif 000006
【図５】
2010091648.tif 000007
【図６】
2010091648.tif 000008
【図７】
2010091648.tif 000009